(57)【要約】    【課題】      種類や数が多いリサイクルマークや環境マークなどの製品特性マークについて、どの製品特性マークが最適であるかを判断し、随時、手軽かつ簡単に印字可能な製品特性マーク印字用プリンターおよび製品特性マーク選択方法を提供すること。    【解決手段】  リサイクルマークや環境マークなどにつき必要項目を順次選択して製品特性マークを選択することに着目し、製品特性マークが製品について資源のリサイクルに関するものかあるいは環境への影響を配慮したものかを採択する検索スタートモードと、資源のリサイクルに関する製品についてキーワードを入力するキーワード入力モードと、入力したキーワードが原材料名テーブルあるいは製品名テーブルのいずれかにあるかを判断する判断モードと、判断した製品についてリサイクルマークを選択するマーク選択モードと、リサイクルマークを印字する印字モードと、を有することを特徴とする。【選択図】        図６                            
2005169897.tif 000002
【特許請求の範囲】
【請求項１】
各種製品についての資源あるいは環境に関する各種の製品特性マークを印字するための製品特性マーク印字用プリンターであって、
前記製品特性マークが前記製品について、前記資源のリサイクルに関するものか、あるいは前記環境への影響を配慮したものかのいずれかを採択する検索スタートモードと、
この検索スタートモードにおいて採択した前記製品特性マークが前記資源のリサイクルに関するものの場合に、前記製品についてのキーワードを入力するキーワード入力モードと、
このキーワード入力モードにおいて入力したキーワードが、前記製品についての原材料名を記憶した原材料名テーブル、あるいは前記製品についての製品名を記憶した製品名テーブルのいずれかにあるかを判断する判断モードと、
この判断モードにおいて判断した前記製品について前記原材料名テーブルあるいは前記製品名テーブルのいずれか一方から、前記製品特性マークとして特定のリサイクルマークを選択するマーク選択モードと、
このマーク選択モードにおいて選択したこのリサイクルマークを印字する印字モードと、
を有することを特徴とする製品特性マーク印字用プリンター。
【請求項２】
前記キーワードは、これを前記製品に関する原材料名あるいは製品名とすることを特徴とする請求項１記載の製品特性マーク印字用プリンター。
【請求項３】
前記原材料名テーブルは、前記製品に関する原材料ごとに前記リサイクルマークをリストしてあることを特徴とする請求項１記載の製品特性マーク印字用プリンター。
【請求項４】
前記製品名テーブルは、前記製品に関する製品名ごとに前記リサイクルマークをリストしてあることを特徴とする請求項１記載の製品特性マーク印字用プリンター。
【請求項５】
前記製品に関する原材料名あるいは製品名を前記キーワードとして、前記製品に関する原材料ごとに前記リサイクルマークをリストしてある前記原材料名テーブルと、
前記製品に関する製品名ごとに前記リサイクルマークをリストして前記製品名テーブルと、をリサイクルマークテーブルメモリーに記憶してあることを特徴とする請求項１記載の製品特性マーク印字用プリンター。
【請求項６】
前記製品特性マークについて、リサイクルマーク分類番号を付与してあることを特徴とする請求項１記載の製品特性マーク印字用プリンター。
【請求項７】
各種製品についての資源あるいは環境に関する各種の製品特性マークを選択するための製品特性マーク選択方法であって、
前記製品特性マークが前記製品について、前記資源のリサイクルに関するものか、あるいは前記環境への影響を配慮したものかのいずれかを採択する検索スタート工程と、
この検索スタート工程において採択した前記製品特性マークが前記資源のリサイクルに関するものの場合に、前記製品についてのキーワードを入力するキーワード入力工程と、
このキーワード入力工程において入力したキーワードが、前記製品についての原材料名を記憶した原材料名テーブル、あるいは前記製品についての製品名を記憶した製品名テーブルのいずれかにあるかを判断する判断工程と、
この判断工程において判断した前記製品について前記原材料名テーブルあるいは前記製品名テーブルのいずれか一方から、前記製品特性マークとして特定のリサイクルマークを選択するマーク選択工程と、
を有することを特徴とする製品特性マーク選択方法。
【請求項８】
各種製品についての資源あるいは環境に関する各種の製品特性マークを印字するための製品特性マーク印字用プリンターであって、
前記製品特性マークが前記製品について、前記資源のリサイクルに関するものか、あるいは前記環境への影響を配慮したものかのいずれかを採択する検索スタートモードと、
この検索スタートモードにおいて採択した前記製品特性マークが前記環境への影響を配慮したものの場合に、前記製品についての分類を選択する分類選択モードと、
この分類選択モードにおいて選択した前記製品についての製品名を選択する製品名選択モードと、
この製品名選択モードにおいて選択した前記製品についての前記製品特性マークとして特定の環境マークを選択するマーク選択モードと、
このマーク選択モードにおいて選択したこの環境マークを印字する印字モードと、
を有することを特徴とする製品特性マーク印字用プリンター。
【請求項９】
前記マーク選択モードにおいて選択した前記環境マークについて、認証が必要であるか否かを判断する認証判断モードを有することを特徴とする請求項８記載の製品特性マーク印字用プリンター。
【請求項１０】
前記マーク選択モードにおいて選択した前記環境マークについて、再生紙使用マークがあるか否かを判断する再生紙使用判断モードを有することを特徴とする請求項８記載の製品特性マーク印字用プリンター。
【請求項１１】
前記マーク選択モードにおいて選択した前記環境マークについて、関連事項を入力するか否かを判断する関連事項入力判断モードを有することを特徴とする請求項８記載の製品特性マーク印字用プリンター。
【請求項１２】
前記製品についての前記分類ごとに前記製品の製品番号をリストしてある分類名テーブルと、
この製品番号ごとに前記環境マークをリストしてある製品名テーブルと、を環境マークテーブルメモリーに記憶してあることを特徴とする請求項８記載の製品特性マーク印字用プリンター。
【請求項１３】
前記製品特性マークについて、環境マーク分類番号を付与してあることを特徴とする請求項８記載の製品特性マーク印字用プリンター。
【請求項１４】
各種製品についての資源あるいは環境に関する各種の製品特性マークを選択するための製品特性マーク選択方法であって、
前記製品特性マークが前記製品について、前記資源のリサイクルに関するものか、あるいは前記環境への影響を配慮したものかのいずれかを採択する検索スタート工程と、
この検索スタート工程において採択した前記製品特性マークが前記環境への影響を配慮したものの場合に、前記製品についての分類を選択する分類選択工程と、
この分類選択工程において選択した前記製品についての製品名を選択する製品名選択工程と、
この製品名選択工程において選択した前記製品についての前記製品特性マークとして特定の環境マークを選択するマーク選択工程と、
を有することを特徴とする製品特性マーク選択方法。
【発明の詳細な説明】
【技術分野】
【０００１】
本発明は製品特性マーク印字用プリンターおよび製品特性マーク選択方法にかかるもので、とくにリサイクルマークや環境マークなどの製品特性マークを印字するための製品特性マーク印字用プリンターおよび製品特性マーク選択方法に関するものである。
【背景技術】
【０００２】
従来から各種の製品に関し、資源の有効利用のためのリサイクルマーク、あるいは環境への影響を配慮した製品であることを示すための環境マークを付与して、資源および環境に配慮しようとする運動が高まりつつある。
しかしながら、製品の製造出荷段階ですべての製品にこれらのリサイクルマークおよび環境マークなどが付されているわけではなく、また、製品の一部（たとえばボトルの本体）に付されてはいても他の部分（たとえばボトルの蓋）には製品特性マークが付されていない場合、個人メーカーや輸入業者等による販売製品にはこれらの製品特性マークが付されていない場合などがあり、これらの場合には製品の製造業者あるいは販売業者が該当する製品特性マークを対応する製品に事後的に付けて表示可能とする必要があるという問題がある。
さらに、リサイクルマークや環境マークなどの製品特性マークは、その種類や数が多く、ある特定の製品についてどの製品特性マークが適切かつ最適であるかを判断することが困難であるという問題がある。
しかも、上述のように任意の製品について製品特性マークを印字したラベルその他の印字出力媒体を随時発行することが要請される場合があるにもかかわらず、必要な製品特性マーク自体を手軽かつ簡単に印字して発行することができるプリンターないしはそのマーク選択方法がないという問題がある。
【０００３】
【特許文献１】特開２００３−８０７６９号公報
【特許文献２】特開２００３−８１２３７号公報
【発明の開示】
【発明が解決しようとする課題】
【０００４】
本発明は以上のような諸問題にかんがみなされたもので、製品の製造業者あるいは販売業者がリサイクルマークや環境マークなどの製品特性マークをあとから付けることができる製品特性マーク印字用プリンターおよび製品特性マーク選択方法を提供することを課題とする。
【０００５】
また本発明は、その種類や数が多いリサイクルマークや環境マークなどの製品特性マークについて、特定の製品についてどの製品特性マークが適切かつ最適であるかを判断してラベルその他の印字出力媒体に印字することができる製品特性マーク印字用プリンターおよび製品特性マーク選択方法を提供することを課題とする。
【０００６】
また本発明は、ある製品に必要な製品特性マーク自体を必要に応じて随時、手軽かつ簡単に印字して発行することができる製品特性マーク印字用プリンターおよび製品特性マーク選択方法を提供することを課題とする。
【課題を解決するための手段】
【０００７】
すなわち本発明は、リサイクルマークや環境マークなどの製品特性マークについて、必要な項目を順次選択ないし判断して行くことにより、必要な製品特性マークを選択し、これをラベルその他任意の印字出力媒体に印字することができるようにすることに着目したもので、第一の発明は、各種製品についての資源あるいは環境に関する各種の製品特性マークを印字するための製品特性マーク印字用プリンターであって、上記製品特性マークが上記製品について、上記資源のリサイクルに関するものか、あるいは上記環境への影響を配慮したものかのいずれかを採択する検索スタートモードと、この検索スタートモードにおいて採択した上記製品特性マークが上記資源のリサイクルに関するものの場合に、上記製品についてのキーワードを入力するキーワード入力モードと、このキーワード入力モードにおいて入力したキーワードが、上記製品についての原材料名を記憶した原材料名テーブル、あるいは上記製品についての製品名を記憶した製品名テーブルのいずれかにあるかを判断する判断モードと、この判断モードにおいて判断した上記製品について上記原材料名テーブルあるいは上記製品名テーブルのいずれか一方から、上記製品特性マークとして特定のリサイクルマークを選択するマーク選択モードと、このマーク選択モードにおいて選択したこのリサイクルマークを印字する印字モードと、を有することを特徴とする製品特性マーク印字用プリンターである。
【０００８】
第二の発明は、各種製品についての資源あるいは環境に関する各種の製品特性マークを選択するための製品特性マーク選択方法であって、上記製品特性マークが上記製品について、上記資源のリサイクルに関するものか、あるいは上記環境への影響を配慮したものかのいずれかを採択する検索スタート工程と、この検索スタート工程において採択した上記製品特性マークが上記資源のリサイクルに関するものの場合に、上記製品についてのキーワードを入力するキーワード入力工程と、このキーワード入力工程において入力したキーワードが、上記製品についての原材料名を記憶した原材料名テーブル、あるいは上記製品についての製品名を記憶した製品名テーブルのいずれかにあるかを判断する判断工程と、この判断工程において判断した上記製品について上記原材料名テーブルあるいは上記製品名テーブルのいずれか一方から、上記製品特性マークとして特定のリサイクルマークを選択するマーク選択工程と、を有することを特徴とする製品特性マーク選択方法である。
【０００９】
上記キーワードは、これを上記製品に関する原材料名あるいは製品名とすることができる。
【００１０】
上記原材料名テーブルは、上記製品に関する原材料ごとに上記リサイクルマークをリストしてあることができる。
【００１１】
上記製品名テーブルは、上記製品に関する製品名ごとに上記リサイクルマークをリストしてあることができる。
【００１２】
上記製品に関する原材料名あるいは製品名を上記キーワードとして、上記製品に関する原材料ごとに上記リサイクルマークをリストしてある上記原材料名テーブルと、上記製品に関する製品名ごとに上記リサイクルマークをリストして上記製品名テーブルと、をリサイクルマークテーブルメモリーに記憶してあることができる。
【００１３】
上記製品特性マークについて、リサイクルマーク分類番号を付与してあることができる。
【００１４】
第三の発明は、各種製品についての資源あるいは環境に関する各種の製品特性マークを印字するための製品特性マーク印字用プリンターであって、上記製品特性マークが上記製品について、上記資源のリサイクルに関するものか、あるいは上記環境への影響を配慮したものかのいずれかを採択する検索スタートモードと、この検索スタートモードにおいて採択した上記製品特性マークが上記環境への影響を配慮したものの場合に、上記製品についての分類を選択する分類選択モードと、この分類選択モードにおいて選択した上記製品についての製品名を選択する製品名選択モードと、この製品名選択モードにおいて選択した上記製品についての上記製品特性マークとして特定の環境マークを選択するマーク選択モードと、このマーク選択モードにおいて選択したこの環境マークを印字する印字モードと、を有することを特徴とする製品特性マーク印字用プリンターである。
【００１５】
第四の発明は、各種製品についての資源あるいは環境に関する各種の製品特性マークを選択するための製品特性マーク選択方法であって、上記製品特性マークが上記製品について、上記資源のリサイクルに関するものか、あるいは上記環境への影響を配慮したものかのいずれかを採択する検索スタート工程と、この検索スタート工程において採択した上記製品特性マークが上記環境への影響を配慮したものの場合に、上記製品についての分類を選択する分類選択工程と、この分類選択工程において選択した上記製品についての製品名を選択する製品名選択工程と、この製品名選択工程において選択した上記製品についての上記製品特性マークとして特定の環境マークを選択するマーク選択工程と、を有することを特徴とする製品特性マーク選択方法である。
【００１６】
上記マーク選択モードにおいて選択した上記環境マークについて、認証が必要であるか否かを判断する認証判断モードを有することができる。
【００１７】
上記マーク選択モードにおいて選択した上記環境マークについて、再生紙使用マークがあるか否かを判断する再生紙使用判断モードを有することができる。
【００１８】
上記マーク選択モードにおいて選択した上記環境マークについて、関連事項を入力するか否かを判断する関連事項入力判断モードを有することができる。
【００１９】
上記製品についての上記分類ごとに上記製品の製品番号をリストしてある分類名テーブルと、この製品番号ごとに上記環境マークをリストしてある製品名テーブルと、を環境マークテーブルメモリーに記憶してあることができる。
【００２０】
上記製品特性マークについて、環境マーク分類番号を付与してあることができる。
【００２１】
上記印字を行う印字出力媒体ないし印字用紙としては、帯状の台紙に複数枚のラベル片を仮着したラベル連続体の形態が望ましいが、製品の種類あるいは形態に応じて下げ札その他任意の形態を採用することができるとともに、印字方式としても熱転写印字方式、インキジェット方式、熱発色方式、その他任意の方式を採用可能である。
【発明の効果】
【００２２】
本発明による製品特性マーク印字用プリンターおよび製品特性マーク選択方法においては、リサイクルマークや環境マークなどの製品特性マークについて、必要な項目を順次選択ないし判断して行くことにより、必要な製品特性マークを選択し、さらに印字することができるようにしたので、任意の製品について適正な製品特性マークを必要に応じて随時選択ないし印字し、この印字された製品特性マークを当該製品に付して表示することができる。
【００２３】
とくに第一の発明の製品特性マーク印字用プリンターによれば、検索スタートモードと、リサイクルに関する製品についてのキーワードを入力するキーワード入力モードと、判断モードと、特定のリサイクルマークを選択するマーク選択モードと、印字モードと、を有するようにしたので、所定の製品についてのリサイクルマークを所定の手順で選択し印字することができる。
【００２４】
とくに第二の発明の製品特性マーク選択方法によれば、第一の発明と同様に、検索スタート工程と、キーワード入力工程と、判断工程と、特定のリサイクルマークを選択するマーク選択工程と、を有するようにしたので、所定の製品についてのリサイクルマークを所定の手順で選択することができる。
【００２５】
とくに第三の発明の製品特性マーク印字用プリンターによれば、検索スタートモードと、環境への影響を配慮した製品についての分類を選択する分類選択モードと、製品名選択モードと、特定の環境マークを選択するマーク選択モードと、印字モードと、を有するようにしたので、所定の製品についてのリサイクルマークを所定の手順で選択し印字することができる。
【００２６】
とくに第四の発明の製品特性マーク選択方法によれば、第三の発明と同様に、検索スタート工程と、分類選択工程と、製品名選択工程と、特定の環境マークを選択するマーク選択工程と、を有するようにしたので、所定の製品についてのリサイクルマークを所定の手順で選択することができる。
【発明を実施するための最良の形態】
【００２７】
本発明は、リサイクルマークや環境マークなどの製品特性マークについて、適切な項目に着目してこれらを順次選択ないし判断して行くことにより、種類および数が多い中から必要な製品特性マークを選択ないし印字することができるようにしたので、任意の製品について適正な製品特性マークを必要に応じて選択ないし印字することができる製品特性マーク印字用プリンターおよび製品特性マーク選択方法を実現した。
【実施例】
【００２８】
つぎに本発明の第１の実施例による製品特性マーク印字用プリンター１を製品特性マーク選択方法とともに図１ないし図２２にもとづき説明する。
図１は、製品特性マーク印字用プリンター１の概略側面図であって、製品特性マーク印字用プリンター１は、ラベル供給部２と、ラベル位置検出部３と、印字部４と、インキリボン供給部５およびインキリボン巻取り部６と、制御回路７と、を有する。
【００２９】
ラベル供給部２は、ラベル連続体８をロール状に巻いて保持し、ラベル位置検出部３および印字部４方向に帯状に繰り出し可能とする。
図２は、ラベル連続体８の平面図であって、ラベル連続体８は、帯状の台紙９上に複数枚のラベル片１０を仮着してあり、台紙９の裏面に位置検出用マーク１１をあらかじめ印刷してある。
【００３０】
ラベル位置検出部３は、光反射型センサー１２を有し、この光反射型センサー１２がラベル連続体８（台紙２）の裏面の位置検出用マーク１１を検出して、ラベル片１０の位置を検出する。
【００３１】
印字部４は、サーマルヘッド１３およびプラテンローラー１４を有し、プラテンローラー１４の回転駆動によりラベル連続体８を移送するとともに、インキリボン供給部５からの熱転写インキリボン１５の供給を受けて、サーマルヘッド１３によりラベル片１０の表面に所定の印字データを印字する。
この熱転写インキリボン１５としては、青、赤、黄の三原色のものを装備すれば、カラー印字が可能で各種の製品特性マークに対応することができ、また、インキジェット方式その他任意の印字方式を採用した印字部４とすることもできる。
なお、印字されたラベル連続体８は、台紙９を反転させてラベル連続体８からラベル片１０を剥離するか、あるいはそのまま任意の巻取り部（図示せず）に巻き取って、任意の形態の使用に供する。
【００３２】
図３は、制御回路７の概略説明図であり、制御回路７は、ＣＰＵ１６と、ＲＯＭ１７と、ＲＡＭ１８と、入力用操作パネル制御回路１９と、ラベル移送制御回路２１と、サーマルヘッド制御回路２０と、を有し、それぞれをバス２２により接続してある。
【００３３】
ＣＰＵ１６は、ＲＯＭ１７に記憶している各種の制御プログラムにしたがって上記各部分を制御する。
【００３４】
ＲＯＭ１７は、製品特性マーク印字用プリンター１全体の制御プログラム、ならびに各種固定データおよびＩＯ定数などを記憶しているとともに、リサイクルマークテーブルメモリー２３および環境マークテーブルメモリー２４を有する。
リサイクルマークテーブルメモリー２３には、リサイクルマークテーブルすなわち、原材料名テーブル２５および製品名テーブル２６を記憶する。
原材料名テーブル２５は、製品に関する原材料名あるいは製品名をキーワードとして、製品に関する原材料ごとにリサイクルマークをリストしてある。
製品名テーブル２６は、製品に関する製品名ごとにリサイクルマークをリストしてある。
環境マークテーブルメモリー２４には、環境マークテーブルすなわち、製品についての分類名テーブル２７、製品名テーブル２８および環境マーク分類番号テーブル２９を記憶してある。
分類名テーブル２７は、製品についての分類ごとに製品の製品番号をリストしてある。
製品名テーブル２８は、製品名の製品番号ごとに環境マーク分類番号をリストしてある。
環境マーク分類番号テーブル２９は、環境マーク分類番号ごとに環境マークをリストしてある。
なお、ＲＯＭ１７内のリサイクルマークテーブルメモリー２３および環境マークテーブルメモリー２４についてのデータの変更ないし更新は、これを随時行うことができるものとする。
【００３５】
ＲＡＭ１８は、フラグ、ワークエリアおよび印字展開エリアなどを有する。
【００３６】
入力操作用パネル制御回路１９は、各種のデータ入力およびコマンド入力を行うテンキーおよびコマンドキーならびにタッチパネル式の表示パネルなどを供えた表示部３０を制御する。
【００３７】
ラベル移送制御回路２１は、プラテンローラー１４およびインキリボン巻取り部６の駆動を制御する。
【００３８】
サーマルヘッド制御回路２０は、サーマルヘッド１３の駆動を制御する。
【００３９】
上述のような構成の製品特性マーク印字用プリンター１により、各種製品についての資源あるいは環境に関する各種の製品特性マークを印字するものであって、その印字操作について、以下説明する。
図４は、上記表示部３０における表示パネルに表示される各種指示ないし問合せにもとづく操作のフローチャート図であり、ステップＳ４−１において検索スタート画面３１（図５）を表示する（検索スタートモード、検索スタート工程）。
すなわち図５は、製品特性マークが、資源のリサイクルに関するリサイクルマークか、あるいは環境への影響を配慮した環境マークかのいずれかを採択する検索スタートモード（検索スタート工程）を示す説明図であって、検索スタート画面３１は、リサイクルマークおよび環境マークの代表例３２Ａ、３２Ｂをそれぞれ表示するとともに、それぞれのマークの説明欄３３Ａ、３３Ｂを設けている。
この検索スタート画面３１において、操作者はこれから製品特性マークを付けようとする製品について説明欄３３Ａ、３３Ｂの内容から判断あるいは推測し、どちらかの「選択」ボタン３４に触れて、製品特性マークが資源に関するリサイクルマークか、あるいは環境に関する環境マークかのいずれかを採択する。
図４に示すように、製品特性マークがリサイクルマークに関するものの場合は（ステップＳ４−２）、ステップＳ４−３（図６）へ、環境マークに関するものの場合は（ステップＳ４−４）、ステップＳ４−５（図１２）へそれぞれ移行する。
【００４０】
図６は、リサイクルマーク検索のフローチャート図であって、ステップＳ６−１においてリサイクルマーク検索画面３５（図７）を表示する。
すなわち図７は、検索スタートモード（図５）において採択した製品が資源のリサイクルに関するものの場合に、製品についてのキーワードを入力するキーワード入力モードを示す説明図であって、リサイクルマーク検索画面３５にはリサイクルマークの複数の代表例３２Ａおよびキーワード入力欄３６を表示してあり、ステップＳ６−２においてキーワード入力欄３６にキーワードを入力する。
このキーワードとしては、たとえば当該製品に関する原材料名あるいは製品名とする。
【００４１】
この入力したキーワードが、前記ＲＯＭ１７内の前記原材料名テーブル２５あるいは前記製品名テーブル２６のいずれかにあるかをステップＳ６−３およびステップＳ６−４において判断する（判断モード、判断工程）。
図８は、原材料名テーブル２５を示す説明図、図９は、製品名テーブル２６を示す説明図、図１０は、ステップＳ６−５の一例の説明図、図１１は、ステップＳ６−６の一例の説明図である。
図８に示すように、原材料名テーブル２５には、原材料名欄３７、リサイクルマーク欄３８およびリサイクルマーク説明欄３９を有する。図９に示すように、製品名テーブル２６には、製品名欄４０、リサイクルマーク欄４１およびリサイクルマーク説明欄４２を有する。
【００４２】
図６のステップＳ６−５において、図１０に一例を示すように、所定キーワードに該当するリサイクルマークおよび説明を原材料名テーブル２５からすべて表示し、また、ステップＳ６−６において、図１１に一例を示すように、所定キーワードに該当するリサイクルマークおよび説明を製品名テーブル２６からすべて表示し、操作者は、これら表示されたマークの中から該当するマークがあれば、説明の内容などを参照して、この判断モードにおいて判断した製品について原材料名テーブル２５あるいは製品名テーブル２６のいずれか一方から、製品特性マークとして特定のリサイクルマークがあるかを判断し（ステップＳ６−７、ステップＳ６−８）、選択して「選択」ボタン３４を押す（ステップＳ６−９、ステップＳ６−１０、マーク選択モード、マーク選択工程）。
【００４３】
また、とくに図１１に示すように、ある製品（たとえばＰＥＴボトル）の本体と、その内容物を表示するために貼り付けあるいはラップされているラベルと、本体の蓋とではそれぞれに付されるリサイクルマークが異なる場合もあり、それぞれの対象物について異なるリサイクルマークを選択することもできる。
【００４４】
なお、ステップＳ６−７あるいはステップＳ６−８において操作者が該当するリサイクルモードを見つけられないときには、「戻る」ボタン４３（図１０、図１１）を押すことにより、図４のステップＳ４−１にもどって、既述の検索スタートモードおよびリサイクルマーク検索、さらには後述の環境マーク検索を行うか、図７のキーワード入力モードにおいてキーワード入力欄３６に別のキーワードを入力して、上述のような判断モードおよび選択モードを繰り返す。
【００４５】
最後に、ステップＳ６−１１において、上記マーク選択モードにおいて選択したリサイクルマークを製品特性マーク印字用プリンター１により印字する（印字モード、印字工程）。
かくして印字されたリサイクルマークをラベル片１０の形態で入手することができるため、このラベル片１０を該当する製品に貼り付けることができる。
【００４６】
つぎに、図４に示した前述のステップＳ４−５における環境マークの検索操作について図１２ないし図２２にもとづき説明する。
図１２は、環境マーク検索のフローチャート図である。図１３は、前記ＲＯＭ１７内の分類名テーブル２７の説明図、図１４は、同、製品名テーブル２８の説明図、図１５は、環境マーク分類番号テーブル２９の説明図である。
分類名テーブル２７は、製品についての分類ごとに製品の製品番号をリストしてあるもので、分類番号欄４４、分類名欄４５および製品番号欄４６を有する。
製品名テーブル２８は、製品名の製品番号ごとに環境マーク分類番号をリストしてあるもので、製品番号欄４７、製品名欄４８および環境マーク分類番号欄４９を有する。
環境マーク分類番号テーブル２９は、環境マーク分類番号ごとに環境マークをリストしてあるもので、環境マーク分類番号欄５０、環境マーク欄５１、認証欄５２および環境マーク説明欄５３を有する。すなわち環境マーク分類番号テーブル２９においては、製品特性マークについて環境マーク分類番号を付与し、個々の環境マークを選択可能としてある。したがって、環境マークについて変更や更新が必要となっても、この環境マーク分類番号をコードとしてデータ処理を行うことができる。
【００４７】
図１２に示すように、上述の分類名テーブル２７、製品名テーブル２８および環境マーク分類番号テーブル２９にもとづいて、ステップＳ１２−１において分類選択画面５４（図１６）を表示する。ステップＳ１２−２において製品名選択画面５５（図１７）を表示する。ステップＳ１２−３において環境マーク選択画面５６（図１８）を表示する。
【００４８】
すなわち図１６は、製品特性マークが、資源のリサイクルに関するものか、あるいは環境への影響に配慮したものかのいずれかを採択する検索スタートモードにおいて採択した製品が環境への影響に配慮したものの場合に、製品についての分類を選択する分類選択モードを示す説明図である。
図１７は、この分類選択モードにおいて選択した製品についての製品名を選択する製品名選択モードを示す説明図である。
図１８は、この製品名選択モードにおいて選択した製品についての製品特性マークとして特定の環境マークを選択するマーク選択モードを示す説明図である。
それぞれの分類選択画面５４、製品名選択画面５５、環境マーク選択画面５６において、操作者は該当するものを選択する（ステップＳ１２−４、ステップＳ１２−５）。
ただし、環境マーク選択画面５６（図１８）においては、「選択」ボタン３４あるいは「戻る」ボタン４３のいずれかを押す。すなわち、該当する環境マークがない場合には、「戻る」ボタン４３を押すことにより、図４のステップＳ４−１における検索スタート画面３１（図５）に戻って、既述の検索スタートモードおよびリサイクルマーク検索、さらには当該環境マーク検索を行うか、図７のキーワード入力モードにおいてキーワード入力欄３６に別のキーワードを入力して、マーク検索操作を繰り返す。
【００４９】
さらに、マーク選択モードにおいて選択した環境マークについて、図１２のステップＳ１２−６において、認証が必要であるか否かを判断する（認証判断モード、認証判断工程）。
図１９は、認証が必要であるか否かを判断する認証判断モードを示す説明図であって、認証判断画面５７を警告として示している。
この認証判断画面５７において、当該環境マークが認証されているか否かについて「ＹＥＳ」か「ＮＯ」かを選択する。なお、認証判断画面５７には連絡先欄５８を設けてあって、認証が必要か、あるいは認証されているか、などについて問い合わせを行うことができるようにしている。
認証が必要な場合には、ステップＳ１２−７において認証されているか否かを選択する。いなければステップＳ１２−８においてエラーメッセージを発する。
【００５０】
さらにステップＳ１２−９において、マーク選択モードにおいて選択した環境マークについて、関連事項を入力するか否かを判断する（関連事項入力判断モード、関連事項入力判断工程）。
すなわち図２０は、関連事項入力選択画面５９の説明図であって、たとえば、環境マークの認定番号、製品の原材料などの表記を行うか否かの選択を行う。
また図２１は、関連事項入力画面６０の説明図であって、関連事項を入力する場合には、関連事項入力欄６１に認証番号その他任意のコメントなど関連事項を入力する（ステップＳ１２−１０）。
【００５１】
このマーク選択モードにおいて選択した環境マークを、ステップＳ１２−１１において製品特性マーク印字用プリンター１により印字する（印字モード、印字工程）。
かくして印字されたリサイクルマークをラベル片１０の形態で入手することができるため、このラベル片１０を該当する製品に貼り付けるものとする。
【００５２】
さらに、図１２の前記ステップＳ１２−６において認証が不必要な場合、マーク選択モードにおいて選択した環境マークについて、ステップＳ１２−１２において再生紙使用マークがあるかを判断する（再生紙使用判断モード、再生紙使用判断工程）。
再生紙使用マークがある場合には、古紙含有率を自主的に表示可能であり、含有率によりマーク自体の一部（数値部分）を変更する必要があるので、ステップＳ１２−１３においてそれぞれの古紙含有率に応じてその数値を入力する。
すなわち図２２は、古紙含有率の数値を入力する一例の説明図であって、その数値に応じた、たとえば「１００」あるいは「８０」．．．などを古紙含有率記入欄６２に入力して、ステップＳ１２−９に移行する。
【００５３】
つぎに図２３は、本発明の第２の実施例による製品特性マーク印字用プリンター７０の操作手順を示すフローチャート図であって、製品特性マーク印字用プリンター７０は、第１の実施例による製品特性マーク印字用プリンター１（図１）と機械的構成は事実上同一であるが、製品特性マーク印字用プリンター１の場合と異なる点は、とくにリサイクルマークを検索するモードにおいて、上述の環境マーク検索操作における環境マーク分類番号テーブル２９に環境マーク分類番号を記憶させたと同様に、リサイクルマークについてリサイクルマーク分類番号を付与してあることである。
すなわち図２４は、前記原材料名テーブル２５を示した図８に対応するもので、原材料名テーブル７１を示す説明図、図２５は、前記製品名テーブル２６を示した図９に対応するもので、製品名テーブル７２を示す説明図、図２６は、リサイクルマーク分類番号テーブル７３の説明図である。
原材料名テーブル７１は、製品の原材料ごとにリサイクル分類番号をリストしてあるもので、原材料名欄７４およびリサイクル分類番号欄７５を有する。
製品名テーブル７２は、製品名ごとに環境マーク分類番号をリストしてあるもので、製品名欄７６およびリサイクルマーク分類番号欄７７を有する。
リサイクルマーク分類番号テーブル７３は、リサイクルマーク分類番号ごとにリサイクルマークをリストしてあるもので、リサイクルマーク分類番号欄７８、リサイクルマーク欄７９およびリサイクルマーク説明欄８０を有する。すなわちリサイクルマーク分類番号テーブル７３においては、製品特性マークについてリサイクルマーク分類番号を付与し、個々のリサイクルマークを選択可能としてある。
【００５４】
図２３において、図４のステップＳ４−３から続くステップＳ２３−１からステップＳ２３−４までは、図６において説明したステップＳ６−１からステップＳ６−４までの判断ないし操作と同一である。
つぎに、ステップＳ２３−５において原材料名テーブル７１からリサイクルマーク分類番号を読み出し、また、ステップＳ２３−６において製品名テーブル７２からリサイクルマーク分類番号を読み出す。
ステップＳ２３−７において、図１０と同様に、原材料名テーブル７１からリサイクルマークおよび説明をすべて表示し、ステップＳ２３−８において、図１１と同様に、製品名テーブル７２からリサイクルマークおよび説明をすべて表示する。したがって、操作者は、これら表示されたマークの中から該当するマークがあれば、説明の内容などを参照して、製品特性マークとして特定のリサイクルマークがあるかを判断するもので、ステップＳ２３−９からステップＳ２３−１３までは、図６のステップＳ６−７からステップＳ６−１１までと同一である。
かくして、リサイクルマークの検索モードにおいて、リサイクルマーク分類番号を付与されている個々のリサイクルマークを選択し、これを印字することができる。
【図面の簡単な説明】
【００５５】
【図１】本発明の第１の実施例による製品特性マーク印字用プリンター１の概略側面図である。
【図２】同、ラベル連続体８の平面図である。
【図３】同、制御回路７の概略説明図である。
【図４】同、表示部３０における表示パネルに表示される各種指示ないし問合せにもとづく操作のフローチャート図である。
【図５】同、製品特性マークが、資源のリサイクルに関するリサイクルマークか、あるいは環境への影響を配慮した環境マークかのいずれかを採択する検索スタートモード（検索スタート工程）を示す説明図である。
【図６】同、リサイクルマーク検索のフローチャート図である。
【図７】同、検索スタートモード（図５）において採択した製品が資源のリサイクルに関するものの場合に、製品についてのキーワードを入力するキーワード入力モードを示す説明図である。
【図８】同、原材料名テーブル２５を示す説明図である。
【図９】同、製品名テーブル２６を示す説明図である。
【図１０】同、ステップＳ６−５の一例の説明図である。
【図１１】同、ステップＳ６−６の一例の説明図である。
【図１２】同、環境マーク検索のフローチャート図である。
【図１３】同、分類名テーブル２７の説明図である。
【図１４】同、製品名テーブル２８の説明図である。
【図１５】同、環境マーク分類番号テーブル２９の説明図である。
【図１６】同、製品特性マークが環境への影響に配慮したものの場合に、製品についての分類を選択する分類選択モードを示す説明図である。
【図１７】同、分類選択モードにおいて選択した製品についての製品名を選択する製品名選択モードを示す説明図である。
【図１８】同、製品名選択モードにおいて選択した製品についての特定の環境マークを選択するマーク選択モードを示す説明図である。
【図１９】同、認証が必要であるか否かを判断する認証判断モードを示す説明図である。
【図２０】同、関連事項入力選択画面５９の説明図である。
【図２１】同、関連事項入力画面６０の説明図である。
【図２２】同、古紙含有率の数値を入力する一例の説明図である。
【図２３】本発明の第２の実施例による製品特性マーク印字用プリンター７０の操作手順を示すフローチャート図である。
【図２４】同、原材料名テーブル７１を示す説明図である。
【図２５】同、製品名テーブル７２を示す説明図である。
【図２６】同、リサイクルマーク分類番号テーブル７３の説明図である。
【符号の説明】
【００５６】
１  製品特性マーク印字用プリンター（第１の実施例、図１）
２  ラベル供給部
３  ラベル位置検出部
４  印字部
５  インキリボン供給部
６  インキリボン巻取り部
７  制御回路
８  ラベル連続体（印字出力媒体）
９  台紙
１０  ラベル片（印字出力媒体）
１１  位置検出用マーク
１２  光反射型センサー
１３  サーマルヘッド
１４  プラテンローラー
１５  熱転写インキリボン
１６  ＣＰＵ
１７  ＲＯＭ
１８  ＲＡＭ
１９  入力操作用パネル制御回路
２０  サーマルヘッド制御回路
２１  ラベル移送制御回路
２２  バス
２３  リサイクルマークテーブルメモリー
２４  環境マークテーブルメモリー
２５  原材料名テーブル（リサイクルマークテーブル、図３、図８）
２６  製品名テーブル（リサイクルマークテーブル、図３、図９）
２７  分類名テーブル（環境マークテーブル、図３、図１３）
２８  製品名テーブル（環境マークテーブル、図３、図１４）
２９  環境マーク分類番号テーブル（環境マークテーブル、図３、図１５）
３０  表示部（図３）
３１  検索スタート画面（図５）
３２Ａ  リサイクルマークの代表例
３２Ｂ  環境マークの代表例
３３Ａ  リサイクルマークの説明欄
３３Ｂ  環境マークの説明欄
３４  「選択」ボタン
３５  リサイクルマーク検索画面（図７）
３６  キーワード入力欄（図７）
３７  原材料名テーブル２５の原材料名欄（図８）
３８  原材料名テーブル２５のリサイクルマーク欄
３９  原材料名テーブル２５のリサイクルマーク説明欄
４０  製品名テーブル２６の製品名欄（図９）
４１  製品名テーブル２６のリサイクルマーク欄
４２  製品名テーブル２６のリサイクルマーク説明欄
４３  「戻る」ボタン（図１０、図１１）
４４  分類名テーブル２７の分類番号欄（図１３）
４５  分類名テーブル２７の分類名欄
４６  分類名テーブル２７の製品番号欄
４７  製品名テーブル２８の製品番号欄（図１４）
４８  製品名テーブル２８の製品名欄
４９  製品名テーブル２８の環境マーク分類番号欄
５０  環境マーク分類番号テーブル２９の環境マーク分類番号欄（図１５）
５１  環境マーク分類番号テーブル２９の環境マーク欄
５２  環境マーク分類番号テーブル２９の認証欄
５３  環境マーク分類番号テーブル２９の環境マーク説明欄
５４  分類選択画面（図１６）
５５  製品名選択画面（図１７）
５６  環境マーク選択画面（図１８）
５７  認証判断画面（図１９）
５８  連絡先欄
５９  関連事項入力選択画面（図２０）
６０  関連事項入力画面（図２１）
６１  関連事項入力欄
６２  古紙含有率記入欄（図２２）
７０  製品特性マーク印字用プリンター（第２の実施例、図１、図２３）
７１  原材料名テーブル（図２４）
７２  製品名テーブル（図２５）
７３  リサイクルマーク分類番号テーブル（図２６）
７４  原材料名テーブル７１の原材料名欄
７５  原材料名テーブル７１のリサイクル分類番号欄
７６  製品名テーブル７２の製品名欄
７７  製品名テーブル７２のリサイクルマーク分類番号欄
７８  リサイクルマーク分類番号テーブル７３のリサイクルマーク分類番号欄
７９  リサイクルマーク分類番号テーブル７３のリサイクルマーク欄
８０  リサイクルマーク分類番号テーブル７３のリサイクルマーク説明欄
【図１】
2005169897.tif 000003
【図２】
2005169897.tif 000004
【図３】
2005169897.tif 000005
【図４】
2005169897.tif 000006
【図５】
2005169897.tif 000007
【図６】
2005169897.tif 000008
【図７】
2005169897.tif 000009
【図８】
2005169897.tif 000010
【図９】
2005169897.tif 000011
【図１０】
2005169897.tif 000012
【図１１】
2005169897.tif 000013
【図１２】
2005169897.tif 000014
【図１３】
2005169897.tif 000015
【図１４】
2005169897.tif 000016
【図１５】
2005169897.tif 000017
【図１６】
2005169897.tif 000018
【図１７】
2005169897.tif 000019
【図１８】
2005169897.tif 000020
【図１９】
2005169897.tif 000021
【図２０】
2005169897.tif 000022
【図２１】
2005169897.tif 000023
【図２２】
2005169897.tif 000024
【図２３】
2005169897.tif 000025
【図２４】
2005169897.tif 000026
【図２５】
2005169897.tif 000027
【図２６】
2005169897.tif 000028